(57)【要約】      （修正有）【課題】歯ブラシや取り付け取りはずしのできる蓋状のコップが携帯用に取り付けられている液状歯磨液入れ容器を提供する。【解決手段】練状歯磨粉に対して、液状歯磨液は、カサ張る他、携帯するのにも、不便さが多過ぎる際に、（空になったら詰め替えが出来る物として、）之の容器の外側に、取り付け外し自在の携帯用コップ他、携帯用歯ブラシを、常設、常備させると、その不便さが解消され、メリットが増える事により、練り歯磨用具より、便利が良くなり、消費者の購売意欲が増した。【選択図】図１
2019099270.tif 000002
【特許請求の範囲】
【請求項１】
現在市場にある、「溶液状歯磨液」が入れられているプラスチック（他、金属）容器の外側に、凹凸器具を取り付けたり、フックや、受皿で留め置き器具を付け、パッチン式、若しくは、ネジ込み式で、備え付けの歯ブラシや、備え付けのコップを留め付け外し（携帯）使用出来る「ネジ込み式歯磨コップ、歯ブラシ付液状歯入れ容器（Ｔ．７２６）」と、パッチン式歯磨コップ、歯ブラシ付液状歯磨液入れ容器（Ｔ．７２７）」
【発明の詳細な説明】
【技術分野】
【０００１】  液状歯磨液入れ容器に備え付け用歯ブラシの他に、備え付け用のネジ込み式と、パッチン式で造られるウガイ用コップを之れに取り付けた。（尚、之の空容器、空き缶には、ウガイ水、お茶、コーヒー等も入れたり、詰め替えが出来た。
【背景技術】
【０００２】  特願２０１６−１０７８９２号  参照
【発明の概要】
【発明が解決しようとする課題】
【０００３】  人が為す「歯磨（方法）」の由来から説明されて行く時の、その先祖は、「塩」であり、塩を一口分、つまみ取って、口の中に入れ、ササラで歯を磨き終えると、水で口内をすすぎ続ける（長い）年月が終えると、塩に変わって、ペパーミント（ハッカ）の粉が世の中に広く出廻り、之れ等は、「歯磨粉」と呼ばれ、ササラに変って、現代の「歯ブラシ」状の物を伴って、歯磨（粉）販売ルート（シェアー）に広がりを観せ続けられるものとなったが、しかし併、更に、
やがて、ペパーミント（ハッカ）の粉に水分を加え、練り状にし、それをチューブの中に入れた、「チューブ練り状歯磨粉」が出来ると、ペパーミント（ハッカ）歯磨き粉」は、次第に市場から素形を消し続け、「チューブ入れ練り状歯磨粉」が、現代の歯磨産業ルート（シェアー）を独専している時代の中に入っても、今度は、やはり、ペパーミント（ハッカ）等を中心とし併にしてする、「歯磨き液」等が開発される新時代に入っても売り上げが、今一つ延び悩んでいた。どうすれば、之の「歯磨液」の売り上げが延ばせるか！と課題が生じた。それ故、何故
【課題を解決する為の手段】
【０００４】  「液状歯磨液」が市場で売れ行きが延び悩むのか！と、その原因について追及してみると、液状歯磨液は、「練りチューブ歯磨粉」に比べてみて、カサ張る他、之れに、歯ブラシやコップ等を取り付け、使用方法や持ち運びが不便な点を改善すれば、「練りチューブ状歯磨粉」よりも、液状歯磨液の方が売れる様になる。と考えられて、課題の解決策を提供する。
【発明の効果】
【０００５】  現在市場に出始めている、「溶液状歯磨液」を用いて歯磨きをする際には、之れ等は、「練りチューブ歯磨粉」の用り方とは違って、口に含む使用時には、ラッパ飲み状態になって、見た目が悪く、カサ張る物となり、全体的にみても、安定性も悪く、歯をブラシで磨いた後、口をすすぐ水を入れるコップは無く、歯ブラシも別に持参しなければならない不便さが生じる為に売れ行きが延び悩んでいた時、この「溶液状歯磨き液入れボトル」等の出水口を倒せば、その儘、液状溶液が出るものと、押せば噴射的に中の歯磨溶液が、備え付けのコップの中に出る物の２種類が考案される、前者の物では、「溶液状歯磨液」の詰め替えが出来るものとなり、―――之の様にして、双方のもの等は、「溶液状歯磨液入れボトル」等に対して、備え付けのコップや、備え付けの歯ブラシ等の取り付け外し（及び携帯）出来る（便利な）物に造り上げられていた。
【図面の簡単な説明】
【０００６】
【図１】  現在市場に出始めている「液状歯磨液」を主に、プラスチック製ボトル状の容器（他、アルミ缶等）に入れて、使用できる様にし、之れ等のプラスチック製ボトル容器には、備え付けの歯ブラシや、（ネジ込み式で回転させて、）取り付け外しの出来る、蓋状のコップ等が携帯用に取り付けられている事を図示する他、空になった歯磨溶液等は詰め替え容液を袋詰めで、詰め替える事も図示。
【０００７】
【図２】  現在、市場に出始めている、「溶液状歯磨液」を（主に、）プラスチック製ボトル状の溶器内に入れて、使用できる様にし、之のプラスチッチ製ボトル状容器の外側には、備え付け（携帯）用歯ブラシや、（段違いパッチン式で）取り付け外しの出来る蓋状のコップ等が携帯用に取り付けられている事を図示する他、プラスチック製ボトル状の容器を押せば、適量づつの内容液が噴出（噴射）出来る事を図示。
【０００８】
【図３】  現在、市場に出始めている、「溶液状歯磨液」を（主に、）プラスチック製ボトル容器内に入れて、使用できる様にし、之のプラスチック製ボトル状の容器には、凹凸パッチン式で取り付け外しが出来て、備え付けられている歯ブラシや、（凹凸パッチン帯式で、）取り付け外しの出来る蓋状のコップ等が携帯用に取り付けられている事を図示。
【発明を実施する為の形態】
【０００９】  現在、市場に出始めている「液状歯磨液」を（主に、）プラスチック製や、アルミ缶（金属）の容器に入れ、「噴出式」や、詰め替え式」等に分けて使用出来る様、２種類に分類させ、キャップで蓋が出来る他、之のプラスチック製や、金属製ボトル状容器の外側には、「凹凸パッチン式」や、「（ネジリ込み付け外し）差し込み外し」が出来る（携帯用の、）歯ブラシや、コップの取り付け外しの出来る形態で造られる物とし、
【実施例】
【００１０】  溶液状歯磨液入れプラスチック容器の外側に「緊急時縮少する歯ブラシ（特願２０１４−０３３４０３参照）」や、ウガイ用コップを（携帯用にして、）取り付け外しを自在にし、設置する（本件）発明をした場合、
【産業上利用の可能性】
【００１１】  大変便利が良くなる他、この様にして、空になった容器内には、経済的であり、（別用途にも使える硼酸水を入れたり、詰め変え用の溶液状歯磨液を新たに投入して使用できるものになる際には、消費者の購売意欲を多いに誘うものとなる際には、産業上の利用性は極めて大きい物になった。
【符号の説明】
【００１２】１．現在市場に出始めている、「溶液状歯磨液」を（主に、）プラスチック製ボトル状の容器内や、（缶容器内に）入れて使用できる様にした物を図示し、２．その図示されるプラスチック容器の外側には、「フック付き歯ブラシ」を常備、常設させる事のできる、３．上をリング状にし、４．下を受け皿状にし、上下２点で、フック付歯ブラシを、プラスチックボトルに留め付け外し出来る容具が取り付けられている事を図示する物や、５．「凹状器物」をプラスチックボトル側に付け、６．「凸器物」を歯ブラシ側に付け、「パッチン式」で取り付け外し出来る、７．「パッチン付歯ブラシ（Ｔ．６５８）」をラスチックボトルに留め付けさせて置く事の出来る物を図示する他、之の様に本発明されるプラスチック製ボトル状容器の外側には、備え付け歯ブラシが常設される他、８．パッチン式や、９．ネジ込み回転式で取り付け外しの出来る蓋状のコップ等が取り付けられている事を図示。１０．溶液状歯磨液詰め替え袋を図示。１１．プラスチックボトルのキャップ（特願２０１６−１０７８９２参照）  １２．フック付備え付け歯ブラシ（特願２０１６−１０７８９２参照）
【図１】
2019099270.tif 000003
【図２】
2019099270.tif 000004
【図３】
2019099270.tif 000005